(57)【要約】【課題】  ランナーの固定作業が容易に行えるランナー固定金具を提供する。【解決手段】  上下部ランナー１，２間にスタッド３を立て込んで構成される壁下地の上下部各ランナー１，２を躯体側に固定するランナー固定金具７であって、金具本体８の一端側を躯体側取付用板部８ａとしてこれに止め具挿通孔９を設け、金具本体８の他端側をランナー側取付用板部８ｂとして、これに、各ランナー１，２の後側壁部５に嵌挿して挟着するように取り付ける挟着取付部１０を形成し、躯体側取付用板部８ａとランナー側取付用板部８ｂの中間部に折曲部１１を設け、金具本体８をランナー１，２と躯体壁面Ｗとの間隔に応じて折曲部１１を介して折曲し、ランナー側取付用板部８ｂの挟着取付部１０をランナー１，２の後側壁部５に嵌挿し、躯体側取付用板部８ａを躯体壁面Ｗに止め具１３によって固定する。【選択図】【図２】
2005083023.tif 000002
【特許請求の範囲】
【請求項１】
夫々前側壁部と後側壁部と底壁部とからなるチャンネル状の上部ランナーと下部ランナーとの間にスタッドを所要間隔おきに立て込むことによって構成される壁下地の上下部各ランナーを躯体側に固定するためのランナー固定金具であって、
矩形板状金具本体の一端側を躯体側取付用板部としてこれに止め具挿通孔を設け、金具本体の他端側をランナー側取付板部としてこれには上下部各ランナーの後側壁部に嵌挿して当該後側壁部の内外両側面を挟着するように取り付ける挟着取付部を切り込みによって形成し、躯体側取付用板部とランナー側取付部の中間部には折曲部を設けてなり、
上下部各ランナーを定位置に固定するにあたり、金具本体をランナーと躯体壁面との間隔に応じ折曲部を介して所要角度に折曲し、ランナー側取付用板部の挟着取付部をランナーの後側壁部に嵌挿して取り付け、躯体側取付用板部を躯体壁面に止め具によって取付け固定するようにしたランナー固定金具。
【請求項２】
ランナー側取付板部の挟着取付部は、ランナー側取付板部の中央部に略上向きコ字形の切り込みを入れることによって形成される舌状の挟持部と、この舌状挟持部片を除いた残りの板部によって形成される挟持部とからなる請求項１に記載のランナー固定金具。
【請求項３】
折曲部は、孔を金具本体の長手方向と直交する方向に沿って所要間隔おきに一列状に明けた孔列を複数列並設することによって形成される請求項１又は２に記載のランナー固定金具。
【発明の詳細な説明】
【技術分野】
【０００１】
本発明は、夫々前側壁部と後側壁部と底壁部とでチャンネル状に形成されている上部ランナー（上横材）と下部ランナー（下横材）との間にスタッド（支柱材）を所要間隔おきに立て込むことによって構成される壁下地において、その上下部各ランナーを躯体側に固定するのに使用されるランナー固定金具に関するものである。
【背景技術】
【０００２】
図５の(a) は壁下地の一部を示す斜視図で、(b) はその断面図である。この壁下地は、夫々前側壁部４と後側壁部５と底壁部６とからなるチャンネル状の上部ランナー１及び下部ランナー２を躯体壁面Ｗから少し離れた天井壁面Ｃ及び床面Ｆに固定し、そしてこれら上下部ランナー１，２間にスタッド３を所要間隔おきに立て込み、そして必要により各スタッド３の中間所要部を水平方向に貫通する振れ止め材を取り付けることによって、枠組み形成される。
【０００３】
而して、上部ランナー１及び下部ランナー２を天井壁面Ｃ及び床面Ｆに固定する従来の固定方法については、公知文献を具体的に挙げることはできないが、図５の(a) 及び(b)
に示すように、各ランナー１，２の底壁部６から躯体の天井壁面Ｃ又は床面Ｆに対しコンクリート釘又はネジＮを打ち込むことによって、上部ランナー１及び下部ランナー２を天井壁面Ｃ及び床面Ｆの夫々定位置に固定するようにしている。
【発明の開示】
【発明が解決しようとする課題】
【０００４】
上記のように上下部各ランナー１，２の底壁部６から躯体の天井壁面Ｃ又は床面Ｆに釘又はネジＮで固定する従来の方法では、釘又はネジＮの打ち込み方向が上下方向になるため、躯体壁面Ｗに接近した状態での上下部各ランナー１，２の固定作業が非常に困難となり、施工能率が低下すると言う問題があった。
【０００５】
本発明は、上下部各ランナー１，２の取付固定作業が容易に行えるランナー固定金具を提供することを目的とする。
【課題を解決するための手段】
【０００６】
請求項１に係る発明は、夫々前側壁部４と後側壁部５と底壁部６とからなるチャンネル状の上部ランナー１と下部ランナー２との間にスタッド３を所要間隔おきに立て込むことによって構成される壁下地の上下部各ランナー１，２を躯体側に固定するためのランナー固定金具７であって、矩形板状金具本体８の一端側を躯体側取付用板部８ａとしてこれに止め具挿通孔９を設け、金具本体８の他端側をランナー側取付用板部８ｂとしてこれには上下部各ランナー１，２の後側壁部５に嵌挿して当該後側壁部５の内外両側面を挟着するように取り付ける挟着取付部１０を切り込みによって形成し、躯体側取付用板部８ａとランナー側取付用板部８ｂの中間部には折曲部１１を設けてなり、上下部各ランナー１，２を定位置に固定するにあたり、金具本体８をランナー１，２と躯体壁面Ｗとの間隔に応じ折曲部１１を介して所要角度に折曲し、ランナー側取付用板部８ｂの挟着取付部１０をランナー１，２の後側壁部５に嵌挿して取り付け、躯体側取付用板部８ａを躯体壁面Ｗに止め具１３によって取付け固定するようにしたことを特徴とする。
【０００７】
請求項２は、請求項１に記載のランナー固定金具において、ランナー側取付用板部８ｂの挟着取付部１０は、ランナー側取付用板部８ｂの中央部に略内向きコ字形の切り込みＣＬを入れることによって形成される舌状の挟持部Ｋ１と、この舌状挟持部Ｋ１を除いた残りの板部によって形成される挟持部Ｋ２とからなることを特徴とする。
【０００８】
請求項３は、請求項１又は２に記載のランナー固定金具において、折曲部１１は、孔ａ，ｂを金具本体８の長手方向と直交する方向に沿って所要間隔おきに一列状に明けた孔列ａ…，ｂ…を複数列並設することによって形成されることを特徴とする。
【発明の効果】
【０００９】
請求項１に係る発明のランナー固定金具によれば、上下部各ランナーを定位置に固定するにあたって、金具本体をランナーと躯体壁面との間隔に応じ折曲部を介して所要角度に折曲し、ランナー側取付用板部の挟着取付部をランナーの後側壁部５に嵌挿して取り付け、躯体側取付用板部を躯体壁面に鋲等の止め具によって取り付け固定するものであって、金具本体の躯体側取付用板部を止め具で躯体壁面に止め付ければよいから、作業者はその止め付け作業を楽な姿勢で容易且つ迅速に行うことができて、施工能率の向上を図ることができる。また、このランナー固定金具は、１枚の矩形板状金具本体からなるもので、構造が簡単にして製作が容易であるから、極めて安価に提供することができる。
【００１０】
請求項２に係る発明のランナー固定金具によれば、ランナー側取付用板部の挟着取付部が、ランナー側取付用板部の中央部に略内向きコ字形の切り込みを入れることによって形成される舌状の挟持部と、この舌状挟持部を除いた残りの板部によって形成される挟持部とからなるため、切り込みによっても金具本体のランナー側取付用板部の強度を低下させることがなく、耐用性を有する。
【００１１】
請求項３に係る発明のランナー固定金具によれば、折曲部が、孔を金具本体の長手方向と直交する方向に沿って所要間隔おきに一列状に明けた孔列を複数列並設することによって形成されるから、金具本体が比較的厚い金属板材からなるものであっても、折り曲げが容易となる。
【発明を実施するための最良の形態】
【００１２】
以下に本発明の好適実施形態について図面に基づいて説明すると、図１の(a) は本発明に係るランナー固定金具７を示す正面図、(b) は側面図、(c) は(a) のイ−イ線断面図である。図２の(a) はランナー固定金具７の使用状態を示す正面図であり、(b) は側面断面図である。また図３の(a) は同じくランナー固定金具７の使用状態を示す正面図であり、(b) は側面断面図である。
【００１３】
ランナー固定金具７は、鋼板によって矩形状に形成された１枚の金具本体８からなるもので、この金具本体８の一端側が躯体側取付用板部８ａとされ、他端側がランナー側取付用板部８ｂとされる。躯体側取付用板部８ａには、コンクリート用のビス、釘、鋲等の止め具を挿通させるための止め具挿通孔９が複数個設けられ、ランナー側取付用板部８ｂには、上下部各ランナー１，２の後側壁部５にその上方又は下方より嵌挿して当該後側壁部５の内外両側面を挟着するように取り付ける挟着取付部１０が、切り込みによって形成されている。躯体側取付用板部８ａとランナー側取付用板部８ｂとの中間部８ｃには折曲部１１が設けられる。
【００１４】
金具本体８のランナー側取付用板部８ｂに設けられる挟着取付部１０は、図１の(a) から分かるように、ランナー側取付用板部８ｂの中央部に略内向きコ字形の切り込みＣＬを入れることにより形成されていて、ランナー１，２の後側壁部５の内面側に当て付けられる舌状の挟持部Ｋ１と、この舌状挟持部片Ｋ１を除いた残りの板部によって形成され、ランナー１，２の後側壁部５の外面側に当て付けられる挟持部Ｋ２と、からなる。
【００１５】
舌状挟持部Ｋ１は、図１の(b) 及び(c) に示すように、その基端部が金具本体８の片面側へ僅かに引き起こされて金具本体８との間に隙間を形成すると共に、先端部側が金具本体８に接する状態となっていて、上下部各ランナー１，２の後側壁部５の内外両側面を強く挟着するようになっている。また、この舌状挟持部Ｋ１の先端部は、各ランナー１，２の後側壁部５への嵌挿時に後側壁部５を舌状挟持部Ｋ１の内側に誘導案内するための外開きテーパ状のガイド１２を形成している。
【００１６】
また、躯体側取付用板部８ａとランナー側取付用板部８ｂとの中間部８ｃに設けられる折曲部１１は、孔ａ，ｂを金具本体の長手方向と直交する方向に沿って所要間隔おきに一列状に明けた孔列ａ…，ｂ…を二列（三列でもよい）に並設することによって形成され、また各孔列ａ…，ｂ…の夫々両端部にはＶ字形に切欠されたＶ字形切欠部ｃが切欠形成されている。従って、折曲部１１は、両端部にＶ字形切欠部ｃを設けた孔列ａ…と、同じく両端部にＶ字形切欠部ｃを設けた孔列ｂ…とからなる。
【００１７】
この折曲部１１は、躯体側取付用板部８ａとランナー側取付用板部８ｂとが互いに平行状態を保って両者間に段違い部を形成するように孔列ａ…及び孔列ｂ…に沿って所要角度折り曲げるものである。
【００１８】
次に、上記のように構成されるランナー固定金具７を使用して、上下部各ランナー１，２を躯体側の定位置に固定する方法について説明する。
【００１９】
先ず天井壁面Ｃにおける上部ランナー１の取付位置及び床面Ｆにおける下部ランナー２の取付位置を夫々墨出しによって設定し、その墨出し位置に上部ランナー１及び下部ランナー２を置いて夫々複数個のランナー固定金具７により固定する。このランナー固定金具７は、上下部各ランナー１，２に立て込まれるスタッド３と干渉しないような位置に取り付けられ、また取付ピッチはランナー１，２の長さ方向に沿って例えば７００ｍｍ程度とされる。
【００２０】
具体的に説明すると、下部ランナー２の取付にあたっては、図２の(a) 及び(b) の夫々下側に示すように、先ず、下部ランナー２の後側壁部５と躯体壁面Ｗとの間に設定される所定の間隔に合わせて、金具本体８を、その躯体側取付用板部８ａとランナー側取付用板部８ｂとが互いに平行状態を保って両者間に段違い部を形成するように折曲部１１の孔列ａ…及び孔列ｂ…に沿って折り曲げる。そして、ランナー側取付用板部８ｂの挟着取付部１０を下部ランナー２の後側壁部５にその上方より嵌挿して、この後側壁部５の内外両側面を挟着するように取り付け、そして金具本体８の躯体側取付用板部８ａを例えば鋲１３（止め具）によって躯体壁面Ｗに固定する。
【００２１】
この場合、鋲１３は鋲打ち銃によって躯体側取付用板部８ａの止め具挿通孔９に挿通して躯体壁面Ｗに打ち込む。即ち、下部ランナー２の取付時には、作業者は例えば床面Ｆ上に腰を下ろした楽な姿勢で鋲打ち銃を持って、金具本体８の躯体側取付用板部８ａを躯体壁面Ｗに対して鋲打ちでき、また上部ランナー１を取り付ける時は、適当な作業台を使用し、作業者は、その作業台上に立ったままの自然な姿勢で、鋲打ち銃を持って金具本体８の躯体側取付用板部８ａを躯体壁面Ｗに対して鋲打ちできるから、上下部各ランナー１，２の固定作業を容易に行うことができる。
【００２２】
上部ランナー１も同様であって、図２の(a) 及び(b) の夫々上側に示すように、上部ランナー１の後側壁部５と躯体壁面Ｗとの間に設定される所定の間隔に合わせて、金具本体８の躯体側取付用板部８ａとランナー側取付用板部８ｂとを折曲部１１の孔列ａ…及び孔列ｂ…に沿って折り曲げ、そしてランナー側取付用板部８ｂの挟着取付部１０を上部ランナー１の後側壁部５にその下方より嵌挿して、この後側壁部５の内外両側面を挟着するように取り付けた後、金具本体８の躯体側取付用板部８ａを鋲１３によって躯体壁面Ｗに固定する。
【００２３】
図２の(a) 及び(b) により説明した実施形態では、上下部各ランナー１，２の後側壁部５と躯体壁面Ｗとの間隔が比較的狭く、従って金具本体８を、その躯体側取付用板部８ａ及びランナー側取付用板部８ｂと折曲部１１との夫々の折曲角度θが鈍角となるように折り曲げているが、図３の(a) 及び(b) には、金具本体８の躯体側取付用板部８ａ及びランナー側取付用板部８ｂと折曲部１１との折曲角度θが夫々直角となるように折り曲げて、上下部各ランナー１，２の後側壁部５と躯体壁面Ｗとの間隔が広い場合に対応させた実施形態を示している。
【００２４】
図４の(a) 〜(c) は、上記のように本発明のランナー固定金具７を使用して上下部両ランナー１，２を躯体側の定位置に取付け固定した後、上下部両ランナー１，２間にスタッド３を立て込んで壁下地を形成し、この壁下地に壁材としての例えば石膏ボード１４を貼り付ける状態を示したものである。
【００２５】
即ち、先ず、図４の(a) に示すように、各スタッド３には上下複数箇所にボンド取付部材１５を装着し、各ボンド取付部材１５にはスタッド３と躯体壁面Ｗとの間隔以上の厚みのボンド１６を取り付けた状態で、上下部両ランナー１，２間にスタッド３を立て込む。スタッド３の立て込みにあたっては、例えば、スタッド３の下端部を下部ランナー２に差し込んだ状態で、スタッド３を湾曲変形させて上端部を上部ランナー１に差し込むようにする。
【００２６】
こうして上下部両ランナー１，２間にスタッド３を立て込むと、図４の(b) に示すように各ボンド１６がスタッド３と躯体壁面Ｗとの間に介在した状態となって、スタッド３が固定され、壁下地の施工が終了する。壁下地の施工後、壁材としての例えば石膏ボード１４を貼り付け、同図の(c) に示す状態とする。
【００２７】
上記実施形態においては、ランナー固定金具７の躯体側取付用板部８ａを躯体壁面Ｗに止め付ける止め具として鋲１３を用いたが、鋲１３以外に、コンクリート用釘やコンクリート用ビス等を使用することができる。
【００２８】
以上説明した本発明のランナー固定金具によれば、上下部各ランナー１，２を定位置に固定するにあたって、金具本体８をランナー１，２と躯体壁面Ｗとの間隔に応じて折曲部１１を介して所要角度に折り曲げ、ランナー側取付用板部８ｂの挟着取付部１０をランナー１，２の後側壁部５に嵌挿して取り付け、躯体側取付用板部８ａを躯体壁面Ｗに例えば鋲１３によって固定するものであって、下部ランナー２の取付時には、作業者は例えば床面Ｆ上に腰を下ろした楽な姿勢で鋲打ち銃を持って、金具本体８の躯体側取付用板部８ａを躯体壁面Ｗに対して鋲打ちでき、また上部ランナー１の取付時には、適当な作業台を使用して、作業者は作業台上に立ったままの普通の姿勢で、鋲打ち銃を持って金具本体８の躯体側取付用板部８ａを躯体壁面Ｗに対して鋲打ちできるから、上下部各ランナー１，２の固定作業を容易且つ迅速に行うことができる。
【００２９】
また、このランナー固定金具７は、矩形板状金具本体８の一端側を躯体側取付用板部８ａとして、これに止め具挿通孔９を設け、金具本体８の他端側をランナー側取付用板部８ｂとして、これには、上下部各ランナー１，２の後側壁部５に嵌挿して当該後側壁部５の内外両側面を挟着するように取り付ける挟着取付部１０を切り込みによって形成し、躯体側取付用板部８ａとランナー側取付用板部８ｂの中間部には折曲部１１を設けてなるものであるから、構造が簡単にして製作が容易となり、従って極めて安価に提供することができる。
【００３０】
また、ランナー側取付用板部８ｂの挟着取付部１０が、ランナー側取付用板部８ｂの中央部に略内向きコ字形の切り込みを入れることによって形成される舌状の挟持部Ｋ１と、この舌状挟持部Ｋ１を除いた残りの板部によって形成される挟持部Ｋ２とからなるため、切り込みによっても金具本体８のランナー側取付用板部８ｂの強度を低下させることがなく、ランナー固定金具７の耐用性を向上させることができる。例えば、ランナー側取付用板部８ｂにコ字形の切り込みを入れる代わりに、直線状の２本の切り込み線をランナー側取付用板部８ｂの下端縁から切り込んで挟持部を形成した場合には、ランナー側取付用板部８ｂの外周縁部が切り込み線によってつながらなくなり、ランナー側取付用板部８ｂの強度が低下し、使用時に変形し易くなる。
【図面の簡単な説明】
【００３１】
【図１】(a) は本発明に係るランナー固定金具を示す正面図、(b) は側面図、(c) は (a)のイ−イ線断面図である。
【図２】(a) はランナー固定金具の使用状態を示す正面図であり、(b) は側面断面図である。
【図３】(a) は同じくランナー固定金具の使用状態を示す正面図であり、(b) は側面断面図である。
【図４】(a) 〜(c) はランナー固定金具を使用して上下部両ランナーを定位置に固定した後、上下部両ランナー間にスタッドを立て込んで壁下地を形成し、この壁下地に壁材を貼り付ける状態を示す説明図である。
【図５】(a) は壁下地の一部を示す斜視図、(b) はその断面図で、上下のランナーを従来の方法で固定した状態を示している。
【符号の説明】
【００３２】
１            上部ランナー
２            下部ランナー
３            スタッド
４            上下部ランナーの前側壁部
５            上下部ランナーの後側壁部
６            上下部ランナーの底壁部
７            ランナー固定金具
８            金具本体
８ａ          躯体側取付用板部
８ｂ          ランナー側取付用板部
９            止め具挿通孔
１０          挟着取付部
１１          折曲部
１３          鋲（止め具）
Ｋ１，Ｋ２    挟持部
【図１】
2005083023.tif 000003
【図２】
2005083023.tif 000004
【図３】
2005083023.tif 000005
【図４】
2005083023.tif 000006
【図５】
2005083023.tif 000007